(57)【特許請求の範囲】
【請求項１】
中央部に弾力帯、その両側に蝶番を配設した三点ヒンジ機構を有するヒンジキャップにおいて、
キャップ本体の側周壁の所定の位置に、弾力帯の下端を連結し、側周壁周面には、キャップ閉蓋時に弾力帯を収納する凹溝が刻設され、
キャップ本体の側周壁の凹溝の上端の両側に、蝶番が連設され、
上蓋の頂壁の所定の位置には、弾力帯の上端が連設されており、連設部から側周壁下端にかけて、弾力帯が容易に摺動できるだけの巾を有する切欠部が穿設され、
上蓋の側周壁の切欠部の下端の両側に、蝶番が連設され、
弾力帯に、キャップ閉蓋時の蝶番の間で横方向に延びる突条を設け、突条の高さを蝶番の高さにほぼ等しい高さとしたことを特徴とするヒンジキャップ。
【請求項２】
中央部に弾力帯、その両側に蝶番を配設した三点ヒンジ機構を有するヒンジキャップにおいて、
キャップ本体の側周壁の所定の位置に、弾力帯の下端を連結し、側周壁周面には、キャップ閉蓋時に弾力帯を収納する凹溝が刻設され、
キャップ本体の側周壁の凹溝の上端の両側に、蝶番が連設され、
上蓋の頂壁の所定の位置には、弾力帯の上端が連設されており、連設部から側周壁下端にかけて、弾力帯が容易に摺動できるだけの巾を有する切欠部が穿設され、
上蓋の側周壁の切欠部の下端の両側に、蝶番が連設され、
弾力帯に、キャップ閉蓋時の蝶番に面して、弾力帯の両側縁に沿って邪魔板を設け、邪魔板の高さを蝶番の高さにほぼ等しい高さとしたことを特徴とするヒンジキャップ。
【請求項３】
蝶番の外側角部に丸みを付したことを特徴とする請求項１または２記載のヒンジキャップ。
【発明の詳細な説明】
【技術分野】
【０００１】
本発明は、ヒンジキャップに関するものである。
【背景技術】
【０００２】
蝶番と弾力帯とからなる三点ヒンジ機構を具えたヒンジキャップは、従来より周知であるが、キャップを閉じたときに、蝶番の稜線は角張っており、両端は角部となっていた。
蝶番の角部や弾力帯に、指先や他の物品が引掛かることを防ぐために、三点ヒンジの外側に保護片を設けたものが、従来より知られている（例えば、特許文献１参照）。
【０００３】
上記特許文献１記載のヒンジキャップは、弾力帯が蝶番の両側に設けられ、保護片は弾力帯の外側に配設されているので、弾力帯とともに、蝶番も保護している。
【特許文献１】特開平９−２２６８０５号公報
【発明の開示】
【発明が解決しようとする課題】
【０００４】
しかしながら、同じ三点ヒンジ機構であっても、蝶番が弾力帯の外側両側にあるときには、蝶番の稜線の外側角部は保護することはできるが、内側角部はカバーできないため、特許文献１記載の方法は適用できなかった。
また、蝶番の外側の角部は、丸みをもたせるように容易に成形できるが、蝶番の内側の角部は、丸みをもたせるよう成形できなかった。
そのため、両側の蝶番の間に指先が触れ、内側角部に指があたると、不快感や痛さを感じることがあるという問題が残された。
【０００５】
本発明は、上記の事情を考え、内側に弾力帯を設け、その両側に蝶番を配設した三点ヒンジ機構を具えたキャップにおいて、弾力帯にリブ等の保護片を配設して、蝶番の角部に指が当たって痛さや不快感を感じることを防ぐようにしたヒンジキャップを提供することを目的とする。
【課題を解決するための手段】
【０００６】
本発明は、上記の課題を解決するため、ヒンジキャップとして、中央部に弾力帯、その両側に蝶番を配設した三点ヒンジ機構を有するヒンジキャップにおいて、キャップ本体の側周壁の所定の位置に、弾力帯の下端を連結し、側周壁周面には、キャップ閉蓋時に弾力帯を収納する凹溝が刻設され、キャップ本体の側周壁の凹溝の上端の両側に、蝶番が連設され、上蓋の頂壁の所定の位置には、弾力帯の上端が連設されており、連設部から側周壁下端にかけて、弾力帯が容易に摺動できるだけの巾を有する切欠部が穿設され、上蓋の側周壁の切欠部の下端の両側に、蝶番が連設され、弾力帯に、キャップ閉蓋時の蝶番の間で横方向に延びる突条を設け、突条の高さを蝶番の高さにほぼ等しい高さとしたことを特徴とする構成を採用する。
【０００７】
ヒンジキャップの別実施例として、中央部に弾力帯、その両側に蝶番を配設した三点ヒンジ機構を有するヒンジキャップにおいて、キャップ本体の側周壁の所定の位置に、弾力帯の下端を連結し、側周壁周面には、キャップ閉蓋時に弾力帯を収納する凹溝が刻設され、キャップ本体の側周壁の凹溝の上端の両側に、蝶番が連設され、上蓋の頂壁の所定の位置には、弾力帯の上端が連設されており、連設部から側周壁下端にかけて、弾力帯が容易に摺動できるだけの巾を有する切欠部が穿設され、上蓋の側周壁の切欠部の下端の両側に、蝶番が連設され、弾力帯に、キャップ閉蓋時の蝶番に面して、弾力帯の両側縁に沿って邪魔板を設け、邪魔板の高さを蝶番の高さにほぼ等しい高さとしたことを特徴とする構成を採用する。
【０００８】
蝶番の実施例として、蝶番の外側角部に丸みを付したことを特徴とする構成を採用する。
【発明の効果】
【００１０】
本発明は、中央に弾力帯を設け、その両側に蝶番を設けた三点ヒンジを具備したヒンジキャップにおいて、弾力帯に、蝶番に対応する位置に、蝶番の高さにほぼ等しい高さを有する横方向に延びる突条、または側縁に沿って延びる邪魔板を設けたので、蝶番内側の角部に手が触れても痛みを感じたり、不快感を感じることを防止することができるようになった。
【発明を実施するための最良の形態】
【００１１】
次に、本発明のヒンジキャップについて、実施例をあげ、図面を参照して説明する。
【実施例１】
【００１２】
図１、２、３において、Ａはキャップ本体、Ｂはキャップ本体Ａに連設されたヒンジ機構、Ｃはヒンジ機構Ｂを介してキャップ本体Ａと連結された上蓋である。
キャップ本体Ａ、ヒンジ機構Ｂ、上蓋Ｃは、一体成形されている。
【００１３】
キャップ本体Ａは、上壁１と側周壁２とを具え、その断面形状は、円形、または楕円形である。
上壁１には、その中央部に注出口３が穿設され、注出口３を囲んで、容器の口筒部に嵌着する嵌合筒４と密封リング４ａが垂設されている。
【００１４】
上壁１の上方には、注出口３に沿って注出筒５が立設されている。
側周壁２の所定の位置には、弾力帯６の下端６ａを連結し、側周壁２周面には、キャップ閉蓋時に弾力帯６を収納する凹溝７が刻設されている。
凹溝７の上端の両側には、一対の蝶番８ａ、８ｂが設けられ、蝶番８ａ、８ｂの外側の角部９には、丸み付けがされている。
【００１５】
弾力帯６と蝶番８ａ、８ｂによって、ヒンジ機構Ｂが形成されている。
弾力帯６には、ヒンジキャップの閉蓋時に、蝶番８ａ、８ｂに対応する位置に、高さを蝶番８ａ、８ｂの高さとできるだけ近く、ほぼ等しくした横方向に延びる断面円弧状、或
いは角部を丸み付けした台形状の突条１０が突設されている。
【００１６】
突条１０の形状については、蝶番の形状に合わせ、適宜選択することができ、とくに限定されない。
また、突条１０の高さは、蝶番８ａ、８ｂにほぼ等しい高さにすることが好ましいが、蝶番８ａ、８ｂの間に手指が入らなければよく、とくに限定されない。
【００１７】
上蓋Ｃは、頂壁１１と側周壁１２とを具え、頂壁１１の下面には、注出筒５の上面を塞ぐ内筒と外筒とからなる密封リング１３が垂設されている。
頂壁１１の所定の位置には、弾力帯６の上端６ｂが連設されており、連設部１４から側周壁１２下端にかけて、弾力帯６が容易に摺動できるだけの巾を有する切欠部１５が穿設されている。
側周壁１２下端のヒンジ機構Ｂの反対側には、摘み１６が設けられている。
【００１８】
次に、本発明のヒンジキャップの作用効果について説明する。
本発明のヒンジキャップは、従来公知の三点ヒンジ機構を具えたヒンジキャップと同様に使用される。
キャップの閉蓋時に、使用者がヒンジ機構に手を触れることはよくあることであるが、蝶番８ａ、８ｂの外側角部９に丸みを付けているから、手指が触れても何ら不快感を与えることはない。
【００１９】
また、内容物の注出のために、摘み１６をもって開蓋するが、閉蓋にあたって、上蓋Ｃの頂壁１１を押さえたり、摘み１６の反対側のヒンジ機構Ｂ、とくにその中央にある弾力帯６に、手を触れることも多々あることである。
その際、弾力帯６の両側にある蝶番８ａ、８ｂの内側角部に触れると、痛さや不快感を感じることがある。
【００２０】
本発明の実施例では、弾力帯６には、蝶番８ａ、８ｂの内側角部に対応して突条１０が設けられており、突条１０の頂と内側角部との間には、あまり差はないように、ほぼ等しい高さになっているから、蝶番８ａ、８ｂの内側角部に触れても不快感を感じることはない。
【実施例２】
【００２１】
次に、弾力帯に蝶番の内側角部に対応して、邪魔板を設けた第２実施例について説明する。
本実施例は、弾力帯に、突条に変えて邪魔板を設けたもので、同一の構成部分については同一の符号をもって図示し、詳しい説明を省略し、相違点についてのみ説明する。
【００２２】
図４において、Ａは容器本体、Ｂはヒンジ機構、Ｃは上蓋であり、ヒンジ機構Ｂは、弾力帯６と蝶番８ａ、８ｂとからなっている。
弾力帯６の蝶番８ａ、８ｂに対応する側には、弾力帯６周縁に沿って、閉蓋時の蝶番８ａ、８ｂの頂点にできるだけ等しい高さを有する邪魔板２０が立設されている。
【００２３】
邪魔板の高さは、蝶番８ａ、８ｂの高さとほぼ等しい高さとすることが好ましいが、とくに限定されない。
また、邪魔板の形状についても、半円、半楕円、角部を丸めた台形など、適宜選択することができ、とくに限定されない。
【００２４】
次に、本実施例による作用効果について説明すると、邪魔板２０の高さは、蝶番８ａ、８ｂの高さにほぼ等しくなっているので、指先が蝶番８ａ、８ｂの内側角部に触れることを阻止することができ、また、触れるようなことがあっても、痛みや不快感を感じることはない。
【００２５】
前記各実施例では、キャップ本体、上蓋として特定の構成を有するものについて説明したが、キャップ本体は、嵌合筒を容器口部に螺合するようにしたもの、側周壁内周にねじを螺設したものであってもよい。
また、キャップ本体の断面形状は、円形、または楕円形、角形であってもよく、注出口の位置も中央部に限定されない。
上蓋についても、密封リングは、注出筒に嵌合するものであればよく、その形状については、とくに限定されない。
【００２６】
前記各実施例では、一つの突条１０、一対の邪魔板２０を用いているが、突条１０を複数個並列するようにしてもよく、また、邪魔板２０も弾力帯６の周辺だけでなく、中央部にも並列するようにしてもよい。
要は、蝶番の間に指先が入らないようにすればよく、配置数、場所は、とくに限定されない。
【産業上の利用可能性】
【００２７】
本発明は、中央に弾力帯を設けた三点ヒンジ機構を具えたヒンジキャップにおいて、蝶番の角部による痛みや不快感をなくすことができ、家庭で使用する各種の容器のヒンジキャップとして、広く利用することができる。
【図面の簡単な説明】
【００２８】
【図１】本発明第１実施例のヒンジキャップの断面立面図である。
【図２】ヒンジキャップの開蓋時の断面立面図である。
【図３】ヒンジキャップの側面図である。
【図４】第２実施例のヒンジキャップの説明図で、（ａ）は断面立面図、（ｂ）は側面図である。
【符号の説明】
【００２９】
Ａ          キャップ本体
Ｂ          ヒンジ機構
Ｃ          上蓋
１          上壁
２          側周壁
３          注出口
４          嵌合筒
４ａ、１３  密封リング
５          注出筒                          
６          弾力帯
６ａ        下端
６ｂ        上端
７          凹溝
８ａ、８ｂ  蝶番
９          角部
１０        突条
１１        頂壁
１２        側周壁
１４        連設部
１５        切欠部
１６        摘み
２０        邪魔板
【図１】
0004823631.tif 000002
【図２】
0004823631.tif 000003
【図３】
0004823631.tif 000004
【図４】
0004823631.tif 000005